(57)【要約】【課題】複数の吸気バルブを１つのアクチュエータ部によって進角側と遅角側とで位相変化を異ならせることが可能な可変動弁装置を提供する。【解決手段】複数の吸気バルブ１５，１６を備えた可変動弁装置１１において、アクチュエータ部１３に切換機構８０が内蔵されている。第１の位相可変モードにおいて、第１および第２の被動側回転体７１，７２が切換部材８１を介して互いに結合されることにより、第１のカム２５と第２のカム２６とが進角側に移動可能となる。第２の位相可変モードでは、駆動側回転体７０と第１の被動側回転体７１とが切換部材８１を介して互いに結合されることにより、第２のカム２６のみが遅角側に移動可能となる。第１および第２の被動側回転体７１，７２のうち第２の被動側回転体７２のみにセンサターゲット部３７が設けられている。センサターゲット部３７と対向する位置に、カム角度検出センサ３８が取付けられている。【選択図】図１
2013019362.tif 000002
【特許請求の範囲】
【請求項１】
エンジンのクランクシャフトと同期して回転する駆動側回転体と、
第１の吸気バルブを駆動するための第１のカムを含む第１の被動側回転体と、
第２の吸気バルブを駆動するための第２のカムを含む第２の被動側回転体と、
前記駆動側回転体に対して前記第１および第２の被動側回転体を初期位置を境に進角側または遅角側に移動させるアクチュエータ部と、
前記第１および第２の被動側回転体を互いに結合するとともに前記第１および第２の被動側回転体を前記駆動側回転体から切り離す第１の位相可変モードと、前記駆動側回転体と前記第１の被動側回転体とを互いに結合するとともに前記第２の被動側回転体を前記第１の被動側回転体から切り離す第２の位相可変モードとに切換可能な切換機構と、
前記第１および第２の被動側回転体のうち第２の被動側回転体のみに設けられたセンサターゲット部と、
前記センサターゲット部を検出するカム角度検出センサと、
を具備したことを特徴とする可変動弁装置。
【請求項２】
前記アクチュエータ部は、前記第１の位相可変モードにおいて前記第１および第２の被動側回転体を同時に進角側に移動させ、前記第２の位相可変モードにおいて前記第２の被動側回転体のみを遅角側に移動させることを特徴とする請求項１に記載の可変動弁装置。
【請求項３】
前記第１の被動側回転体の一部を形成しシリンダヘッドの軸受部によって回転自在に支持されるアウタシャフトと、前記第２の被動側回転体の一部を形成し前記アウタシャフトの内側に回転自在に設けられるインナシャフトとからなるシャフト部材を備え、
前記第１のカムが前記アウタシャフトに配置され、前記第２のカムは前記アウタシャフトの外周を回動可能に前記インナシャフトに配置され、前記第２のカムが前記シャフト部材の軸線方向に延びる延長部を有し、該延長部に前記シャフト部材の径方向に突出する前記センサターゲット部が設けられたことを特徴とする請求項１または２に記載の可変動弁装置。
【請求項４】
前記第２のカムの前記延長部に、前記軸受部に嵌合することによって前記第２のカムの前記軸線方向の位置を規制する凹部が形成されたことを特徴とする請求項３に記載の可変動弁装置。
【請求項５】
前記第２のカムの前記延長部に、前記駆動側回転体に対して前記軸線方向から当接することによって前記駆動側回転体の前記軸線方向の位置を規制する凸部が形成されたことを特徴とする請求項４に記載の可変動弁装置。
【請求項６】
前記切換機構が前記アクチュエータ部に設けられた切換機構収容部に収容され、この切換機構収容部よりも外径側の位置に前記センサターゲット部が設けられていることを特徴とする請求項３に記載の可変動弁装置。
【発明の詳細な説明】
【技術分野】
【０００１】
この発明は、エンジンの吸気バルブ等を開閉駆動するための可変動弁装置に関する。
【背景技術】
【０００２】
吸気バルブあるいは排気バルブの開閉時期をエンジンの運転状況等に応じて変化させることが可能な可変動弁装置が知られている。例えば特許文献１，２に開示されているように、クランクシャフトと同期して回転するスプロケットに対して、カムシャフトの回転の位相を変化させることができるように構成された可変動弁装置が公知である。この種の可変動弁装置では、アクチュエータによってカムシャフトの位相を変化させることにより、吸気バルブの開閉時期を進角側あるいは遅角側に変化させることができるようになっている。アクチュエータとしては、油圧式あるいは電動式のものが知られている。
【０００３】
また、各気筒（シリンダ）ごとに複数の吸気バルブを有するエンジンにおいて、各気筒ごとに吸気バルブどうしの位相を互いに変化させることが可能な可変動弁装置も提案されている。この種の可変動弁装置では、カムシャフトに対して複数の吸気バルブ用のカムの位相を互いに独立して変化させることができるように構成されている。このため一方のカムの位相を変化させるための第１のアクチュエータと、他方のカムの位相を変化させるための第２のアクチュエータが使われるのが通例である。また、各カムの角度を検出するために、各カムに連動して回転するセンサターゲット部がそれぞれカム角度検出センサによって検出されるようになっている。
【先行技術文献】
【特許文献】
【０００４】
【特許文献１】特開２０００−１７９３１１号公報
【特許文献２】特開２００１−５００６３号公報
【発明の概要】
【発明が解決しようとする課題】
【０００５】
前記したように１つの気筒あたりに複数の吸気バルブを備えた可変動弁装置において、一方の吸気バルブ用のカムと他方の吸気バルブ用のカムがそれぞれ別々のアクチュエータによって独立して駆動される構造では動弁装置が大形化し、重量が大きくなり、構造も複雑化する。しかも各バルブの位相を同時に変化させるときに大きな駆動エネルギーを必要とすることがある。また、２種類のカムをそれぞれ別々のカム角度検出センサ（位相角センサ）によって検出する必要があるため、少なくとも２つのカム角度検出センサとセンサターゲット部が必要となり、その分、部品数が増加しコストが高くなる原因となる。
【０００６】
従ってこの発明は、１つのアクチュエータ部によって各バルブの位相変化を異ならせることができ、しかもセンサおよびセンサターゲット部の数を減らすことができる可変動弁装置を提供することにある。
【課題を解決するための手段】
【０００７】
本発明の可変動弁装置は、エンジンのクランクシャフトと同期して回転する駆動側回転体と、第１の吸気バルブを駆動するための第１のカムを含む第１の被動側回転体と、第２の吸気バルブを駆動するための第２のカムを含む第２の被動側回転体と、前記駆動側回転体に対して前記第１および第２の被動側回転体を初期位置を境に進角側または遅角側に移動させるアクチュエータ部と、切換機構と、ターゲット部と、カム角度検出センサとを備えている。
【０００８】
前記切換機構は、前記第１および第２の被動側回転体を互いに結合するとともに前記第１および第２の被動側回転体を前記駆動側回転体から切り離す第１の位相可変モードと、前記駆動側回転体と前記第１の被動側回転体とを互いに結合するとともに前記第２の被動側回転体を前記第１の被動側回転体から切り離す第２の位相可変モードとに切換可能である。前記センサターゲット部は、前記第１および第２の被動側回転体のうち第２の被動側回転体のみに設けられている。前記カム角度検出センサは、前記第２の被動側回転体に対して移動しない側の部材に取付けられ、前記センサターゲット部を検出する。
【０００９】
前記アクチュエータ部の一例は、前記第１の位相可変モードにおいて前記第１および第２の被動側回転体を同時に進角側に移動させ、前記第２の位相可変モードにおいて前記第２の被動側回転体のみを遅角側に移動させるものである。  
本発明の１つの実施形態では、前記第１の被動側回転体の一部を形成しシリンダヘッドの軸受部によって回転自在に支持されるアウタシャフトと、前記第２の被動側回転体の一部を形成し前記アウタシャフトの内側に回転自在に設けられるインナシャフトとからなるシャフト部材を備えている。そして前記第１のカムが前記アウタシャフトに配置され、前記第２のカムは前記アウタシャフトの外周を回動可能に前記インナシャフトに配置され、前記第２のカムが前記シャフト部材の軸線方向に延びる延長部を有し、該延長部に前記シャフト部材の径方向に突出する前記センサターゲット部が設けられている。
【００１０】
また、前記第２のカムの前記延長部に、前記軸受部に嵌合することによって前記第２のカムの前記軸線方向の位置を規制する凹部が形成されていてもよい。さらに前記第２のカムの前記延長部に、前記駆動側回転体に対して前記軸線方向から当接することによって前記駆動側回転体の前記軸線方向の位置を規制する凸部が形成されていてもよい。また前記切換機構が前記アクチュエータ部に設けられた切換機構収容部に収容され、この切換機構収容部よりも外径側の位置に前記センサターゲット部が設けられていてもよい。
【発明の効果】
【００１１】
本発明によれば、各気筒ごとに少なくとも２つの吸気バルブのためのカムを有する可変動弁装置において、１つのアクチュエータ部によって、複数のカムの位相を同時に変化させる第１の位相可変モードと、一方のカムのみの位相を変化させる第２の位相可変モードとに切換えることができる。しかも１つのカム角度検出センサとセンサターゲット部によって第１のカムと第２のカムの角度を検出することができる。
【図面の簡単な説明】
【００１２】
【図１】本発明の第１の実施形態に係る可変動弁装置を模式的に示す断面図。
【図２】図１に示された可変動弁装置のアクチュエータ部をシャフト部材の軸線と直角な方向に切断した断面図。
【図３】図１に示された可変動弁装置が進角側に作動する際のアクチュエータ部を示す断面図。
【図４】図１に示された可変動弁装置が遅角側に作動する際のアクチュエータ部を示す断面図。
【図５】図１に示された可変動弁装置のアクチュエータ部の作動を説明するための模式図。
【図６】図１に示された可変動弁装置のアクチュエータ部が第１の位相可変モードに切換わった状態を説明するための模式図。
【図７】図１に示された可変動弁装置のアクチュエータ部が進角側に移動した状態を説明するための模式図。
【図８】図１に示された可変動弁装置のアクチュエータ部が第２の位相可変モードに切換わった状態を説明するための模式図。
【図９】図１に示された可変動弁装置のアクチュエータ部が遅角側に移動した状態を説明するための模式図。
【図１０】図１に示された可変動弁装置の吸気バルブのリフト量とクランク角との関係を示す図。
【図１１】本発明の第２の実施形態に係る可変動弁装置を模式的に示す断面図。
【発明を実施するための形態】
【００１３】
以下に本発明の第１の実施形態に係る可変動弁装置について、図１から図１０を参照して説明する。  
図１は、エンジンのシリンダヘッド１０に設けられた可変動弁装置１１を模式的に示している。この可変動弁装置１１は、後に説明する組立カムシャフト１２と、油圧式のアクチュエータ部１３とを有している。このエンジンは、各気筒（シリンダ）ごとに少なくとも２つの吸気バルブ１５，１６と排気バルブ（図示せず）とを有している。例えば吸気バルブ１５，１６は、図１に示す可変動弁装置１１によって開閉駆動される。
【００１４】
組立カムシャフト１２は、アウタシャフト２１およびインナシャフト２２からなる二重構造のシャフト部材２０と、シャフト部材２０に組付けられた第１および第２のカム２５，２６とを含んでいる。アウタシャフト２１はパイプ状をなし、このアウタシャフト２１内にインナシャフト２２が回転可能に設けられている。
【００１５】
シャフト部材２０は長手方向に延びる軸線Ｘ１を有している。インナシャフト２２は、アウタシャフト２１に対して軸線Ｘ１まわりに回動（相対回転）可能である。アウタシャフト２１は、シリンダヘッド１０に設けられた軸受部（ジャーナル部）３０，３１，３２等によって、回転自在に支持されている。アウタシャフト２１の一方の端部（アクチュエータ部１３側）にフランジ部２１ａが設けられている。
【００１６】
第１のカム２５はアウタシャフト２１に固定され、第１のカム２５とアウタシャフト２１とが一体に回転するようになっている。第１のカム２５の外周には、第１の吸気バルブ１５を開閉駆動するためのカムプロフィルを有するカム面２５ａが形成されている。
【００１７】
第２のカム２６は、アウタシャフト２１に対して軸線Ｘ１まわりに回動可能である。第２のカム２６は連結部材３５によってインナシャフト２２に固定され、第２のカム２６とインナシャフト２２とが一体に回転するようになっている。連結部材３５はインナシャフト２２に固定され、アウタシャフト２１に形成された開口部３６からアウタシャフト２１の径方向に突出している。第２のカム２６の外周には、第２の吸気バルブ１６を開閉駆動するためのカムプロフィルを有するカム面２６ａが形成されている。
【００１８】
図１に示されるように第２のカム２６は、軸線Ｘ１方向に延びる筒形の延長部２６ｂを有している。この延長部２６ｂの端部にカムローブ２６ｃが形成されている。カムローブ２６ｃの外周部に、位相角検出用のセンサターゲット部３７が設けられている。
【００１９】
すなわちこのセンサターゲット部３７は、第１および第２の被動側回転体７１，７２のうち、第２の被動側回転体７２のみに設けられている。センサターゲット部３７は磁性材料からなり、シャフト部材２０の径方向に突出し、第２のカム２６と共に軸線Ｘ１まわりに回転するようになっている。そしてセンサターゲット部３７の回転方向の位置がカム角度検出センサ３８によって検出される。カム角度検出センサ３８の一例は、センサターゲット部３７を磁気的に検出する磁気センサであり、センサターゲット部３７に対して相対的に移動しない側の部材３８ａ（例えばシリンダヘッド１０に設けられたブラケット等）に固定されている。なお、カム角度検出センサ３８は、センサターゲット部３７を光学的に検出ものであってもよい。
【００２０】
また第２のカム２６の前記延長部２６ｂに、シリンダヘッド１０の軸受部（ジャーナル部）３０に嵌合する凹部２６ｄが形成されている。この凹部２６ｄは延長部２６ｂの回転方向の全周にわたって形成され、軸受部３０に嵌合することによって、第２のカム２６の軸線Ｘ１方向の位置が規制されるようになっている。
【００２１】
図２は、アクチュエータ部１３をシャフト部材２０の軸線Ｘ１と直角な方向に切断して模式的に示した断面図である。このアクチュエータ部１３は、エンジンのクランクシャフト３９（図１に示す）によって回転駆動されるスプロケット４０と、スプロケット４０に設けられたハウジング４１と、ハウジング４１の内部に収容されたロータ４２などを備えている。スプロケット４０は、チェーンあるいはタイミングベルト等の動力伝達部材４５（図１に示す）によって、クランクシャフト３９と同期して回転する。
【００２２】
ハウジング４１の内部には、ロータ４２によって、複数の進角ベーン室５０と、複数の遅角ベーン室５１とが形成されている。進角ベーン室５０と遅角ベーン室５１とは、それぞれ、遅角油路５２と進角油路５３を介して、油圧ユニット６０に接続されている。油圧ユニット６０はＥＣＵ（electronic control unit）等の制御部６１によって制御され、エンジンの運転状況等に応じて遅角油路５２と進角油路５３に油圧を供給することができるようになっている。油圧ユニット６０と制御部６１とは、アクチュエータ部１３の制御をつかさどる制御手段の一例である。前記カム角度検出センサ３８によって検出されたカム角度が制御部６１に入力され、進角制御あるいは遅角制御がなされる。
【００２３】
例えば、油圧ユニット６０によって発生させた油圧が遅角油路５２から遅角ベーン室５１に供給されると、ロータ４２がハウジング４１に対して遅角側に回動する。また、油圧が進角油路５３から進角ベーン室５０に供給されると、ロータ４２がハウジング４１に対して進角側に回動する。
【００２４】
ハウジング４１はスプロケット４０に固定されている。このためハウジング４１はスプロケット４０と一体に回転する。ロータ４２は、インナシャフト２２にボルト５５によって固定されている。このためロータ４２はインナシャフト２２と一体に回転する。ロータ４２がハウジング４１に対して遅角側あるいは進角側に回動すると、アウタシャフト２１とインナシャフト２２の位相（軸線Ｘ１まわりの相対位置）が変化し、その結果、カム２５，２６の位相が変化することになる。
【００２５】
ロータ４２にロック部材５６が組込まれている。ロック部材５６は、シャフト部材２０の軸線Ｘ１と平行な方向に移動することができる。このロック部材５６は、例えばエンジンの始動時あるいは低回転時等のようにロータ４２が初期位置にあるときに、ばね等の付勢手段によってスプロケット４０側の嵌合孔５７に嵌合し、ロック位置となることにより、ロック部材５６を介してスプロケット４０（駆動側回転体７０）とロータ４２（第２の被動側回転体７２）とが互いに固定されるようになっている。これらロック部材５６と嵌合孔５７とによって、ロック機構５８が構成されている。
【００２６】
前記スプロケット４０とハウジング４１などによって、エンジンのクランクシャフト３９によって駆動される駆動側回転体７０が構成されている。駆動側回転体７０の構成要素であるスプロケット４０は、動力伝達部材４５を介してクランクシャフト３９と同期して回転する。よって、駆動側回転体７０の位相はクランクシャフト３９の位相と対応している。
【００２７】
第２のカム２６の前記延長部２６ｂの端面に、凸部２６ｅが設けられている。この凸部２６ｅは延長部２６ｂの端面から軸線Ｘ１方向に突出し、駆動側回転体７０の一部であるスプロケット４０に対して回動可能に当接することにより、駆動側回転体７０の軸線Ｘ１方向の位置が規制されるようになっている。
【００２８】
一方、アウタシャフト２１と、第１の吸気バルブ１５を駆動するための第１のカム２５などによって、第１の被動側回転体７１が構成されている。第１のカム２５はアウタシャフト２１に固定されているため、第１のカム２５とアウタシャフト２１は軸線Ｘ１まわりに一体に回転する。アウタシャフト２１の端部に設けられたフランジ部２１ａは、スプロケット４０に対して軸線Ｘ１まわりに相対回転可能である。
【００２９】
インナシャフト２２と、第２の吸気バルブ１６を駆動するための第２のカム２６と、連結部材３５と、ロータ４２などによって、第２の被動側回転体７２が構成されている。第２の被動側回転体７２の構成要素であるインナシャフト２２と第２のカム２６とロータ４２とは、互いに軸線Ｘ１まわりに一体に回転する。
【００３０】
これら第１の被動側回転体７１と第２の被動側回転体７２とは、油圧ユニット６０から供給される油圧によって、駆動側回転体７０に対して軸線Ｘ１まわりの位相（進角あるいは遅角）を変化させることが可能である。すなわち油圧ユニット６０と制御部６１とは、駆動側回転体７０に対して第１の被動側回転体７１と第２の被動側回転体７２の位相を変化させるための制御手段の一例を構成している。アクチュエータ部１３は、駆動側回転体７０に対して第１の被動側回転体７１と第２の被動側回転体７２の位相を、前記初期位置を境に進角側または遅角側に移動させる機能を有している。
【００３１】
この可変動弁装置１１は、第１の位相可変モードと第２の位相可変モードとを切換えるための切換機構８０を備えている。ここで第１の位相可変モードとは、駆動側回転体７０に対して第１の被動側回転体７１と第２の被動側回転体７２とが同時に位相が変化するモードである。第２の位相可変モードとは、駆動側回転体７０に対して第２の被動側回転体７２のみの位相が変化するモードである。
【００３２】
切換機構８０は切換部材８１を有している。切換部材８１の一例は、シャフト部材２０の軸線Ｘ１と平行な軸線Ｘ２方向に移動可能な円柱形のピンであり、後述するように第１の位相可変モードにおいて第１の位置に移動することにより、第１および第２の被動側回転体７１，７２の双方に嵌合するとともに、駆動側回転体７０から離脱する。また第２の位相可変モードにおいて第２の位置に移動することにより、駆動側回転体７０と第１の被動側回転体７１の双方に嵌合するとともに、第２の被動側回転体７２から離脱するように構成されている。
【００３３】
すなわちこの切換部材８１は、スプロケット４０に形成された第１の孔８２と、アウタシャフト２１のフランジ部２１ａに形成された第２の孔８３と、第２のカム２６のカムローブ２６ｃに形成された第３の孔８４とにわたって前記軸線Ｘ２方向に移動可能に挿入され、油圧ユニット６０から遅角油路５２または進角油路５３に供給される油圧に応じて、軸線Ｘ１と平行な軸線Ｘ２方向に移動するようになっている。この構成によれば、ロータ４２の回転時に生じる遠心力が切換部材８１の移動方向の一方側に偏って作用することを回避でき、切換部材８１の両方向への移動を均等化することができる。駆動側回転体７０が回転する際に生じるトルクは、この切換部材８１を介して第１の被動側回転体７１あるいは第２の被動側回転体７２に伝達される。
【００３４】
切換機構８０は、アクチュエータ部１３に設けられた切換機構収容部８７（図１に示す）に収容されている。この切換機構収容部８７よりも外径側の位置に、センサターゲット部３７が設けられている。センサターゲット部３７は、第１および第２の被動側回転体７１，７２のうち、第２の被動側回転体７２（第２のカム２６のカムローブ２６ｃ）のみに設けられている。
【００３５】
図１に示すように、シリンダヘッド１０の軸受部（ジャーナル部）３０の内面に、前記油路５２ａ，５３ａに油圧を供給する遅角油路５２と進角油路５３とが形成されている。前記切換機構８０は、この軸受部３０に隣接する位置に設けられている。この構成によれば、軸受部３０の油路５２，５３から切換機構８０の油路５２ａ，５３ａまでの距離を極力短くすることができる。
【００３６】
図３は、切換部材８１が第１の位置に移動した状態（第１の位相可変モード）を示している。切換部材８１が第１の位置（第１の位相可変モード）にあるとき、切換部材８１がアウタシャフト２１の孔８３と第２のカム２６の孔８４に嵌合するとともに、スプロケット４０の孔８２から抜け出る。これにより、アウタシャフト２１と第２のカム２６とが互いに結合されるとともに、アウタシャフト２１と第２のカム２６とがスプロケット４０から切り離された状態となる。このため、アウタシャフト２１に固定されている第１のカム２５と、第２のカム２６とが、互いに一体となって軸線Ｘ１まわりに回動可能となる。
【００３７】
このように第１の位相可変モードにおいては、切換部材８１が第１の位置に移動することにより、アウタシャフト２１（第１の被動側回転体７１）とインナシャフト２２（第２の被動側回転体７２）とが切換部材８１を介して互いに固定されるとともに、アウタシャフト２１とインナシャフト２２がスプロケット４０（駆動側回転体７０）から切り離される。このため、アウタシャフト２１に固定されている第１のカム２５と、インナシャフト２２に固定されている第２のカム２６とが、互いに一体となって軸線Ｘ１まわりに回動可能となることにより、進角油路５３に導入される油圧に応じて、第１のカム２５と第２のカム２６の位相が進角側の位相可変領域Ｔ１内で変化する。
【００３８】
図４は、切換部材８１が第２の位置に移動した状態（第２の位相可変モード）を示している。切換部材８１が第２の位置（第２の位相可変モード）にあるとき、切換部材８１がスプロケット４０の孔８２とアウタシャフト２１の孔８３に嵌合するとともに、第２のカム２６の孔８４から抜け出る。これにより、スプロケット４０とアウタシャフト２１とが互いに結合されるとともに、アウタシャフト２１に対して第２のカム２６が切り離されるため、第２のカム２６が軸線Ｘ１まわりに回動可能となる。
【００３９】
このように第２の位相可変モードでは、切換部材８１がシャフト部材２０の軸線Ｘ１と平行な軸線Ｘ２方向に沿って第２の位置に移動することにより、アウタシャフト２１（第１の被動側回転体７１）がスプロケット４０（駆動側回転体７０）に固定されるとともに、インナシャフト２２（第２の被動側回転体７２）がアウタシャフト２１から切り離される。このため、第２のカム２６のみが軸線Ｘ１まわりに回動可能となることにより、遅角油路５２に導入される油圧に応じて、第２のカム２６の位相が遅角側の位相可変領域Ｔ２内で変化する。
【００４０】
切換部材８１を前記第１の位置に移動させるための油圧を供給する油路５３ａ（図５に示す）は、進角油路５３に接続されている。切換部材８１を第２の位置に移動させるための油圧を供給する油路５２ａ（図５に示す）は、遅角油路５２に接続されている。
【００４１】
図５から図９は、第１および第２の被動側回転体７１，７２の動作を説明するための模式図である。これらの図はアクチュエータ部１３の動作をわかりやすく説明するために便宜的に表した模式図であるから、図１から図４に示したアクチュエータ部１３とは形状やレイアウトが異なっている。
【００４２】
図５は、図１に対応する模式図であって、アクチュエータ部１３の初期モード（初期位置）を示している。初期モードでは、切換部材８１がスプロケット４０の孔８２とアウタシャフト２１の孔８３に嵌合している。初期モードの一例はエンジンの始動時あるいは低回転時（アイドリング時）であり、油圧が上昇していないため、ロック機構５８のロック部材５６が、ばね等の付勢手段によってスプロケット４０の嵌合孔５７に嵌合し、ロック位置となっている。このため初期モードでは、駆動側回転体７０に対して第１の被動側回転体７１と第２の被動側回転体７２がロックされた状態となり、第１のカム２５と第２のカム２６の位相変化は生じることなく初期位置（イニシャル）のままである。
【００４３】
図６と図７は、それぞれ図３に対応する模式図であって、アクチュエータ部１３の第１の位相可変モードを示している。第１の位相可変モードでは、図６に示すように進角油路５３から供給される油圧によって切換部材８１が軸線Ｘ２方向に第１の位置に移動することにより、スプロケット４０の孔８２から抜け出るとともに、切換部材８１がアウタシャフト２１の孔８３と第２のカム２６の孔８４に嵌合する。これにより、第１の被動側回転体７１と第２の被動側回転体７２とが互いに結合されるとともに、駆動側回転体７０に対して第１の被動側回転体７１と第２の被動側回転体７２が切り離された状態となる。また、ロック機構５８のロック部材５６が、油圧によって嵌合孔５７から抜け出てロック解除位置となる。つまりロック部材５６がロック解除位置にあるとき、第２の被動側回転体７２は駆動側回転体７０に固定されていない状態となる。このため第１のカム２５と第２のカム２６とが一体となって回動できるようになる。
【００４４】
この第１の位相可変モードでは、図７に示すように進角油路５３に油圧が供給されると、第１の被動側回転体７１と第２の被動側回転体７２とが、同時に、駆動側回転体７０に対して位相可変領域Ｔ１内で進角側に回動することにより、第１のカム２５と第２のカム２６とが進角側に移動する。
【００４５】
図８と図９は、それぞれ図４に対応する模式図であって、アクチュエータ部１３の第２の位相可変モードを示している。第２の位相可変モードでは、図８に示すように遅角油路５２から供給される油圧によって切換部材８１が軸線Ｘ２方向に第２の位置に移動することにより、ロータ４２の孔８４から抜け出るとともに、切換部材８１がスプロケット４０の孔８２に嵌合する。これにより、駆動側回転体７０と第１の被動側回転体７１とが互いに結合されるとともに、第２の被動側回転体７２が、第１の被動側回転体７１から切り離された状態となる。また、ロック機構５８のロック部材５６が、油圧によって嵌合孔５７から抜け出てロック解除位置となる。このため第２の被動側回転体７２のみが、駆動側回転体７０に対して回動可能となる。
【００４６】
この第２の位相可変モードでは、図９に示すように遅角油路５２に油圧が供給されると、第１の被動側回転体７１が初期位置に止まったまま、第２の被動側回転体７２のみが、駆動側回転体７０に対して位相可変領域Ｔ２内で遅角側に回動することにより、第２のカム２６のみが遅角側に移動する。
【００４７】
図１０は、前記実施形態の可変動弁装置１１の第１および第２のバルブ１５，１６のリフト量（開閉時期）とクランク角との関係を示している。前記したようにスプロケット４０とハウジングに４１とを含む駆動側回転体７０に対して、第１のカム２５と第２のカム２６が進角側の位相可変領域Ｔ１で移動する。また遅角側には、第２のカム２６のみが遅角側の位相可変領域Ｔ２で移動する。よって、トータルとしての位相可変範囲Ｓは、進角側の位相可変領域Ｔ１と遅角側の位相可変領域Ｔ２とを合わせた量となる。進角側の位相可変領域Ｔ１と前記遅角側の位相可変領域Ｔ２とは、初期位置を境に互いに隣接して設定されている。
【００４８】
ロック部材５６と嵌合孔５７などからなるロック機構５８は、アクチュエータ部１３が図５に示す初期位置にある状態において、ばね等の付勢手段によってロック部材５６が嵌合孔５７に挿入され、ロック位置となることにより、第２の被動側回転体７２を駆動側回転体７０に固定する機能を有している。この実施形態の場合、ロック機構５８のロックが解除された状態（油圧によってロック部材５６が嵌合孔５７から抜け出てロック解除位置となった状態）において、ロータ４２が、進角側の位相可変領域Ｔ１（一方側の位相可変領域）または遅角側の位相可変領域Ｔ２（他方側の位相可変領域）に移動可能となる。
【００４９】
すなわち本実施形態のアクチュエータ部１３は、ロック機構５８によってロータ４２がロックされる初期位置を境として、第１および第２のバルブ１５，１６が進角側に同時に位相変化する「両弁位相可変モード」と、第２のバルブ１６のみが遅角側に位相変化する「片弁位相可変モード」に切換わるようになっている。
【００５０】
遅角側の位相可変領域Ｔ２は、進角側の位相可変領域Ｔ１よりも大きい。一例として、進角側の位相可変領域Ｔ１はクランク角３５°相当であるのに対し、遅角側の位相可変領域Ｔ２がクランク角４５°相当となるように、位相可変範囲Ｓ（クランク角８０°相当）で、初期位置を境として進角側と遅角側とで可変範囲の配分比率が設定されている。
【００５１】
こうすることにより、限られた位相可変範囲Ｓ内で、遅角側の位相可変領域Ｔ２をなるべく大きくとることが可能となり、第２のカム２６によって駆動される第２の吸気バルブ１６の閉弁時期の遅延を大きくとることができる。この例では遅角側の位相可変領域Ｔ２が進角側の位相可変領域Ｔ１よりも大きくなるため、遅角駆動時には進角駆動時よりも多くの油圧が必要となるが、遅角駆動時にアクチュエータ部１３は第２の被動側回転体７２（第２のカム２６）のみを移動させればよいため、油圧の低下を抑制でき応答性を確保することができる。
【００５２】
また、例えばエンジンの性能を重視する時などには、第１の位相可変モードによって、第１のカム２５と第２のカム２６とを同時に進角側に移動させることにより、エンジン出力に対応することができる。一方、燃費を重視する時には、第２の位相可変モードによって、第２のカム２６のみを遅角側に位相変化させるといった制御を制御部６１によって行なうことができる。
【００５３】
制御手段として機能する制御部６１は、アクチュエータ部１３が初期位置（エンジンの始動時あるいはアイドリング時）にあるとき、圧縮行程の２分の１よりも前側の時期Ｐ１（図１０に示す）において第１および第２の吸気バルブ１５，１６の双方が閉弁するように、ロック機構５８を作動させる。エンジンの始動時は油圧が上昇していないため、ロック機構５８が作動することによってアクチュエータ部１３が初期位置に保たれている。この初期位置では第１および第２の吸気バルブ１５，１６がいずれも圧縮行程の２分の１よりも前側の時期Ｐ１（図１０に示す）で閉弁するようにロック機構５８が働いているため、圧縮比を大きくとることができることにより、燃料に着火しやすくなり、エンジンの始動が容易となる。
【００５４】
エンジン始動後に行なわれる遅角側の位相可変領域Ｔ２においては、遅角側に位相変化する吸気バルブ１６が圧縮行程の２分の１よりも後側の時期Ｐ２（図１０に示す）で閉弁するように、アクチュエータ部１３によって第２のカム２６の位相を変化させるプログラムが組込まれている。この遅角側の位相可変領域Ｔ２では、第１の吸気弁１５が圧縮行程の２分の１よりも前側の時期Ｐ１（図１０に示す）で閉弁しているが、第２のカム２６によって吸気バルブ１５が開いているため、圧縮比が低い状態となっている。しかし圧縮行程の中間位置（特に圧縮行程の２分の１）ではピストン速度が最大となるため、片側の吸気バルブ１５が開いていることにより、気筒内に強いスワールを生じさせることができ、燃焼が良化される。しかも遅角側の位相可変領域Ｔ２では、第１のカム２５が圧縮行程の２分の１よりも前側の時期Ｐ１（図１０に示す）で閉弁しているため圧縮比を比較的低い状態にすることができ、ポンプロスが減ることによって燃費が改善される。
【００５５】
以上説明したように、本実施形態の可変動弁装置１１によれば、エンジンの運転状況に応じて、進角側と遅角側とで異なる態様の位相制御を１つの油圧式のアクチュエータ部１３によって実現することができる。このため、２つのアクチュエータ部を使用する可変動弁装置と比較して構造が簡略化し、小形かつ軽量に構成することが可能である。
【００５６】
しかも第１の位相可変モードでは、第１の被動側回転体７１と第２の被動側回転体７２とが共に進角側に同じ位相角度を移動するため、１つのカム角度検出センサ３８によって第１および第２のカム２５，２６の角度を検出できる。第２の位相可変モードでは、第２の被動側回転体７２のみが駆動側回転体７０に対して位相変化するため、カム角度検出センサ３８によって第２のカム２６の角度を検出すればよい。このように１つのカム角度検出センサ３８によって第１のカム２５と第２のカム２６の位相角を知ることができるため、センサターゲット部３７とカム角度検出センサ３８とがそれぞれ１つで足りることになり、構成を簡略化できる。
【００５７】
図１１は、本発明の第２の実施形態に係る可変動弁装置１１Ａを模式的に示している。この可変動弁装置１１Ａの基本的な構成は第１の実施形態の可変動弁装置１１と共通であるため、両者に共通の箇所に共通の符号を付して説明を省略し、互いに異なる箇所について以下に説明する。
【００５８】
第２の実施形態の可変動弁装置１１Ａの切換機構８０Ａの切換部材８１Ａは、シャフト部材２０の軸線Ｘ１と直角な方向（シャフト部材２０の径方向）に移動可能に構成されている。この切換機構８０Ａは、第１の実施形態の切換機構８０と同様に、アクチュエータ部１３を第１の位相可変モードと第２の位相可変モードとを切換える機能を有している。
【００５９】
切換部材８１Ａの一例は、シャフト部材２０の軸線Ｘ１と直角な方向に移動可能な円柱形のピンである。この切換部材８１Ａは、スプロケット４０に固定された回転部材４０Ａに形成された第１の孔８２Ａと、アウタシャフト２１に形成された第２の孔８３Ａと、インナシャフト２２に固定された回転部材２２Ａに形成された第３の孔８４Ａとにわたって移動可能であり、遅角油路５２または進角油路５３に供給される油圧に応じて、軸線Ｘ１と直角な方向に移動するようになっている。
【００６０】
第１の位相可変モードにおいて、切換部材８１Ａが第１の位置に移動することにより、アウタシャフト２１（第１の被動側回転体７１）とインナシャフト２２側の回転部材２２Ａ（第２の被動側回転体７２）とが切換部材８１Ａを介して互いに固定されるとともに、アウタシャフト２１とインナシャフト２２側の回転部材２２Ａがスプロケット４０側の回転部材４０Ａ（駆動側回転体７０）から切り離される。このため、アウタシャフト２１に固定されている第１のカム２５と、インナシャフト２２に固定されている第２のカム２６とが、互いに一体となって軸線Ｘ１まわりに回動可能となることにより、進角油路５３に導入される油圧に応じて、第１のカム２５と第２のカム２６の位相が進角側の位相可変領域Ｔ１内で変化する。
【００６１】
第２の位相可変モードでは、切換部材８１Ａが第２の位置に移動することにより、アウタシャフト２１（第１の被動側回転体７１）がスプロケット４０側の回転部材４０Ａ（駆動側回転体７０）に固定されるとともに、インナシャフト２２側の回転部材２２Ａ（第２の被動側回転体７２）がアウタシャフト２１から切り離される。このため、第２のカム２６のみが軸線Ｘ１まわりに回動可能となることにより、遅角油路５２に導入される油圧に応じて、第２のカム２６の位相が遅角側の位相可変領域Ｔ２内で変化する。
【００６２】
この可変動弁装置１１Ａの場合、シャフト部材２０の一端側にアクチュエータ部１３が配置され、シャフト部材２０の他端側に第２のカム２６と一体に回転する回転部材９０が設けられている。この回転部材９０に位相角検出用のセンサターゲット部３７が設けられている。センサターゲット部３７の回転方向の位置、すなわち第２の被動側回転体７２の位相角度がカム角度検出センサ３８によって検出される。
【００６３】
この第２の実施形態においても、第１の位相可変モードでは、第１の被動側回転体７１と第２の被動側回転体７２とが共に進角側に同じ位相角度を移動するため、１つのカム角度検出センサ３８によって第１および第２のカム２５，２６の角度を検出できる。第２の位相可変モードでは、第２の被動側回転体７２のみが駆動側回転体７０に対して位相変化するため、カム角度検出センサ３８によって第２のカム２６の角度を検出すればよい。このように１つのカム角度検出センサ３８によって第１のカム２５と第２のカム２６の位相角を知ることができるため、センサターゲット部３７とカム角度検出センサ３８とがそれぞれ１つで足りることになり、構成を簡略化できるものである。
【００６４】
なお本発明を実施するに当たり、アクチュエータ部やカム、切換機構、センサターゲット部、カム角度検出センサ等の具体的な形状、構成をはじめとして、駆動側回転体や第１の被動側回転体、第２の被動側回転体など可変動弁装置を構成する要素の形状や配置等の具体的な態様等を種々に変更して実施できることは言うまでもない。
【符号の説明】
【００６５】
１１…可変動弁装置、１３…アクチュエータ部、１５…第１の吸気バルブ、１６…第２吸気バルブ、２０…シャフト部材、２１…アウタシャフト、２２…インナシャフト、２５…第１のカム、２６…第２のカム、３０…軸受部（ジャーナル部）、３７…センサターゲット部、３８…カム角度検出センサ、３９…クランクシャフト、４０…スプロケット、７０…駆動側回転体、７１…第１の被動側回転体、７２…第２の被動側回転体、８０…切換機構、８７…切換機構収容部。
【図１】
2013019362.tif 000003
【図２】
2013019362.tif 000004
【図３】
2013019362.tif 000005
【図４】
2013019362.tif 000006
【図５】
2013019362.tif 000007
【図６】
2013019362.tif 000008
【図７】
2013019362.tif 000009
【図８】
2013019362.tif 000010
【図９】
2013019362.tif 000011
【図１０】
2013019362.tif 000012
【図１１】
2013019362.tif 000013